(57)【要約】【課題】従来の警報器はブザーの音のみで緊急報知するので暗やみではその方向や場所の特定が無理であった。その不便を解消して夜間や建物の多い場所でも犯行場所や犯人の逃走方向が分かりやすい大きな音と点滅発光で報知することができる防犯警報器を提供する。【解決手段】ケース２の一部に連結具１１を設けた防犯警報器内に、電池３と警報ブザー４とライト５と回路部６とスイッチ作動板８を配設した防犯警報器１の一部に、前記した電池３の消耗を知らせる電池警告ランプ１０を設けた防犯警報器１に、前記のスイッチ作動板８に抜き差しできる伸縮紐部材１４付き作動ピン１２を組み合わせてた発音発光する防犯警報器。【選択図】　図１
0003097869.tif 000002
【実用新案登録請求の範囲】
【請求項１】
ケースの外部に連結具を設けた前記ケース内に、電池と警報ブザーとライトと回路部とスイッチ作動板を配設して成る防犯警報器において、前記スイッチ作動板に抜き差しできる伸縮紐部材付き作動ピンを組み合わせた構成を特徴とする発音発光する防犯警報器。
【請求項２】
伸縮紐部材がコイル紐である請求項１に記載の発音発光する防犯警報器。
【請求項３】
内蔵する電池の消耗を知らせる電池警告ランプをケースの一部に備えた請求項１に記載する発音発光する防犯警報器。
【考案の詳細な説明】
【０００１】
【考案の属する技術分野】
本考案は、携行バッグや旅行カバン、荷物などの盗難はもとより、夜間の歩行時における犯罪の防止とともに、犯行場所や犯人の逃走方向の特定が認識しやすい防犯警報器に関する。
【０００２】
【従来の技術】
近年、海外旅行も格安になったこともあるので、国内旅行と同じ気軽な感覚で海外旅行を楽しむ人々が年々増加している。しかし国内旅行においては荷物の盗難などそれほど神経を使わなくてもよいが、治安の悪い海外旅行に際しては携行バッグやカバンなどの管理は特に注意を要する必要があった。しかし、国内にあっても最近は銀行から出た後や買い物帰りなど、特に女性や高齢者を狙ってバッグやカバンなどの引ったくりによる災難に遭うことも身近になっているので、それらの盗難や引ったくり防止を目的とする防犯警報器を荷物に取り付け、その警報器に接続されるスイッチ作動部材とする絶縁ピン付き伸縮紐を身体に取り付けることで、カバンなど引ったくられるのを防止する荷物盗難防止警報器も提供されている。（例えば、特許文献参照。）。
【０００３】
【特許文献１】
実用新案登録第３０４５５２９号公報（第５−７頁、第１図）
【０００４】
【考案が解決しょうとする課題】
【０００５】
上記した文献に開示される警報器は、携行しているカバンやバックの引ったくりはもとより、身近に置いた荷物の盗難防止を目的とするために、警報器本体をカバンや荷物に取り付け、それに接続された抜き差し可能なスイッチ作動部材とする絶縁ピン付き伸縮紐を身体に取り付けることで、万一バッグや荷物が盗難に遭った際には、前記した絶縁ピンが警報器より引き抜かれるとともに、犯人の持ち去るバッグや荷物に取り付けた警報器が大きく鳴り響くことにより、犯人に荷物の持ち去りをあきらめさせることができる。また絶縁ピンにはコイル紐などの伸縮紐を採用しているのでたるみが生じないためにロープが邪魔にならず、少々引っかけてもショックを軽減することにより、絶縁ピンが抜けることによる誤報防止の工夫が成された警報器の技術である。
【０００６】
上記する警報器は以上のような技術であるので引ったくりや置き引きなどを防止する有効な警報器である。しかし国内における引ったくりの多くは夜間に行われることが断然多く、痴漢なども夜間や薄暗い場所で行われることが多いが、引ったくりや痴漢に遭って警報ブザーが鳴り響いた際、昼間や多くの人々が居る場合においてはその方向や場所を知らしめることができるが、夜間や薄暗い場所で行われた場合は例え大きな警報音が聞こえても暗やみであるし、また建物などに反響するなどして方角や場所の特定が正確に知ることが無理なことが多い。加えて警報器は電池を電源としているが、長期間使用しなくても自然放電などにより電池の容量の減少は避けられないが、その電池の容量を常時確認することができないため、イザ引ったくりや痴漢などの災難に遭った際に警報ブザーが作動せずに肝心な時に役立たないなどの不便や欠点などがあった。
【０００７】
【０００８】
【課題を解決するための手段】
本考案は以上のような不便や欠点を解消して、警報ブザーの作動はもとよりライトの点灯及び電池の消耗を知る電池警告ランプに加えて、災難に遭った際は警報ブザーとともにライトが点滅発光する効果的にして有効な防犯警報器を提供するものであり、以下、その手段や実施の形態を示す。
【０００９】
上記の目的を達成するために本考案による請求項１においては、ケース内に電池と警報ブザーとライトと回路部とスイッチ作動板を配設した防犯警報器において、前記作動板に差し込まれた伸縮紐部材付き作動ピンを抜くのに連動してブザーが鳴るとともにライトが点滅発光する構成を特徴とする発音発光防犯警報器を構成する。
【００１０】
請求項２においては、上記する伸縮紐部材がコイル紐を採用した発音発光防犯警報器とする。
【００１１】
請求項３においては、上記するケースに内蔵する電池の消耗を知らせる電池警告ランプをケースに備えた発音発光防犯警報器を構成するが、以下、さらに詳しい実施の形態を示す。
【００１２】
【考案の実施の形態】
本考案による防犯警報器の実施の形態を図１に示す一部欠損した分離斜視図と図２のライト部分を示す一部省略した斜視図、図３のカバンへの取り付け例図及び図４に示す防犯警報器の作動例図を参照して詳述する。
【００１３】
この考案における防犯警報器１の実施の形態は、まずポケットなどに入れられる程度の大きさで容体と蓋で形成されるケース２内の一部に電池３を位置し、他方の空間部には警報ブザー４とライト５及びライト５を点滅発光させる回路部６それぞれを位置させて成るケース２の側部に差し込み穴７を設け、その差し込み穴７部位内側に、前記回路部６に接続されて作動するスイッチ作動板８を設けたケース２の側部に、前記ライト５を点灯するライトスイッチ９を設け、かつ電池が減少すると赤色に点滅発光する電池警告ランプ１０を設けたケース２上端部に連結具１１を取り付けた警報器本体を形成する。
【００１４】
以上のように形成された警報器本体におけるケース２の側部に設けた差し込み穴７に、別途に形成した回路部６の作動スイッチ部材として、絶縁材による作動ピン１２に、一定の長さでかつ伸縮するコイル紐１３やリール紐などの伸縮紐部材１４の端部に、身体の一部に取り付けるナス環やクリップなどの取り付け具１５を付けた作動ピン１２を組み合わせて本考案の防犯警報器１を構成する。
【００１５】
本考案における防犯警報器１は以上のような構成であるので、次のような作用及び効果を得る。まず防犯警報器１には警報ブザー４以外にライト５及び電池警告ランプ１０を備えているので、図２に示すようにライト５は通常の電灯として点灯できるとともに、電池警告ランプ１０により事前に電池の消耗を知ることが容易となる。
【００１６】
加えて、回路部６には警報ブザー４はもとよりライト５にも接続された構成であるので、この警報器を使用する際は図３に示すように、防犯警報器１の連結具１１にチェーンなど用いてカバンＡの取っ手に取り付け、他方、作動ピン１２が接続されたコイル紐１３端部の取り付け具１５を身体のベルトなどに取り付ける。以上のように取り付けたカバンなどを携行している際に、図４のように引ったくりや置き引きに遭うと、カバンＡに取り付けた防犯警報器１に接続された作動ピン１２が引き抜かれて回路部６が作動すると、警報ブザー４とともにライト５が点滅発光するので、強力な警告音とともに暗やみでも目立つ点滅発光による複合報知手段で広い範囲に知らせることはもとより、カバンＡを持ち去る犯人の方向や場所の特定が容易になる。
【００１７】
さらに、電池警告ランプ１０も備えているので、通常のライト５の使用における電池切れを未然に防ぎ、犯行時の際に肝心の警報ブザー４及びライト５の点滅発光の作動不全などを招くような心配を解消した防犯警報器１を構成する。
【００１８】
この考案は以上のような実施の形態を成すが、作動ピン１２付き伸縮紐部材１４以外に、例えばゴム紐や他の伸縮紐を採用しても差し支えないもので特に限定するものではない。
【００１９】
【考案の効果】
本考案は以上のような防犯警報器を構成するので、次に示すような効果や長所を提供する。まず防犯警報器は警報ブザー及びライトを備えているが、その回路部には作動ピンの引き抜きによるスイッチが入ると、警報ブザーの発生とともにライトが点滅発光する回路を形成し、かつケースの一部には電池の消耗を知らせる赤色点滅発光する電池警報ランプを設けて常時チェックすることができるため、引ったくりや置き引きはもとより夜間の痴漢などの災難に遭った時に、電池不足などによる作動不能と言うような心配は全く無い防犯警報器を構成する。
【００２０】
さらに引ったくりなどに遭った際に作動ピンが抜けると同時に強力な警報ブザーとともにライトも点滅発光するので、昼間はもとより、夜間など暗いところや建物が多いところで音が反響して分かりにくい場所での犯行においても、大きな音と点滅発光の相乗効果でその方向と場所を周囲に報知できるため、犯行場所はもとより防犯警報器を取り付けたカバンや荷物を持って逃走する犯人の方向や場所を速やかに知ることができる。
【００２１】
加えて、警報器に接続された作動ピンに取り付けられる紐は、伸縮自在のコイル紐やリール紐を採用した伸縮紐部材であるので、身体に連結して携行している最中は短い状態で連結されるため手や物に絡まりにくく、万一絡まっても自在に伸びるため間違って作動ピンが抜けて警報ブザーが誤報するような心配が無い、機能的にして効果的に使える発音発光する防犯警報器を提供する。
【図面の簡単な説明】
【図１】本考案の防犯警報器の実施の形態を示す一部欠損した斜視図である。
【図２】防犯警報器のライト部分を示す斜視図である。
【図３】防犯警報器をカバンに取り付けた使用例図である。
【図４】使用時における防犯警報器の作動状態図である。
【符号の説明】
１・防犯警報器
２・ケース
３・電池
４・警報ブザー
５・ライト
６・回路部
７・差し込み穴
８・スイッチ作動板
９・ライトスイッチ
１０・電池警告ランプ
１１・連結具
１２・作動ピン
１３・コイル紐
１４・伸縮紐部材
１５・取り付け具
Ａ・カバン
【図１】
0003097869.tif 000003
【図２】
0003097869.tif 000004
【図３】
0003097869.tif 000005
【図４】
0003097869.tif 000006